(57)【特許請求の範囲】
【請求項１】
原稿の搬送経路を挟んで相対する二つの領域のうちの一方の領域側に配置され、受光部と、原稿からの反射光を当該受光部に集光する集光部材と、を有し、当該搬送経路が設けられている側に突出するとともに当該搬送経路から外れた箇所へ突出する突出部を備え、原稿上の画像の読み取りに用いられる画像読み取り用部材と、
前記二つの領域のうちの他方の領域側に配置され、前記画像読み取り用部材に設けられた前記突出部が入り込む凹部であって当該突出部の変位を抑制するための当該凹部が形成され、前記搬送経路を挟み当該画像読み取り用部材に対向して配置される対向部材と、
を備える画像読み取り装置。
【請求項２】
前記画像読み取り用部材には、前記搬送経路を搬送される前記原稿を前記対向部材側に押圧する押圧部材が取り付けられ、
前記押圧部材は、前記画像読み取り用部材から取り外し可能に設けられていることを特徴とする請求項１記載の画像読み取り装置。
【請求項３】
前記対向部材のうち前記突出部と対峙する箇所には、水平方向に対して傾斜した傾斜面であって前記搬送経路に平行な当該傾斜面が形成されており、
前記凹部は、前記傾斜面に形成されていることを特徴とする請求項１又は２に記載の画像読み取り装置。
【請求項４】
前記画像読み取り用部材は、長尺状に形成され、
前記突出部は、前記画像読み取り用部材の長手方向における一端および他端のそれぞれに設けられ、
前記対向部材には、前記凹部として、前記画像読み取り用部材の前記一端に設けられた前記突出部が入り込む第１の凹部と、前記他端に設けられた前記突出部が入り込む第２の凹部とが少なくとも形成されていることを特徴とする請求項１乃至３の何れかに記載の画像読み取り装置。
【請求項５】
前記集光部材の焦点が前記搬送経路上に位置するように前記凹部の深さが設定されていることを特徴とする請求項１乃至４の何れかに記載の画像読み取り装置。
【請求項６】
原稿の搬送経路を挟んで相対する二つの領域のうちの一方の領域側に配置され、受光部と、原稿からの反射光を当該受光部に集光する集光部材と、を有し、当該搬送経路が設けられている側に突出するとともに当該搬送経路から外れた箇所へ突出する突出部を備え、原稿上の画像の読み取りに用いられる画像読み取り用部材と、
前記二つの領域のうちの他方の領域側に配置され、前記搬送経路を搬送される前記原稿の案内を行うとともに、前記画像読み取り用部材に設けられた前記突出部の移動を規制する規制部を有した原稿案内部材と、
を含む画像読み取り装置。
【発明の詳細な説明】
【技術分野】
【０００１】
本発明は、画像読み取り装置に関する。
【背景技術】
【０００２】
光源と、複数のミラーと、レンズと、光電変換素子などを備えるとともに、光源および複数のミラーが１つの走行体上に取り付けられた読取装置が開示されている（特許文献１参照）。
【先行技術文献】
【特許文献】
【０００３】
【特許文献１】特開２０００−１７４９５６号公報
【発明の概要】
【発明が解決しようとする課題】
【０００４】
本発明の目的は、受光部および原稿からの反射光をこの受光部に集光する集光部材を有した画像読み取り用部材の振動や変位を抑制することにある。
【課題を解決するための手段】
【０００５】
請求項１に記載の発明は、原稿の搬送経路を挟んで相対する二つの領域のうちの一方の領域側に配置され、受光部と、原稿からの反射光を当該受光部に集光する集光部材と、を有し、当該搬送経路が設けられている側に突出するとともに当該搬送経路から外れた箇所へ突出する突出部を備え、原稿上の画像の読み取りに用いられる画像読み取り用部材と、前記二つの領域のうちの他方の領域側に配置され、前記画像読み取り用部材に設けられた前記突出部が入り込む凹部であって当該突出部の変位を抑制するための当該凹部が形成され、前記搬送経路を挟み当該画像読み取り用部材に対向して配置される対向部材と、を備える画像読み取り装置である。
請求項２に記載の発明は、前記画像読み取り用部材には、前記搬送経路を搬送される前記原稿を前記対向部材側に押圧する押圧部材が取り付けられ、前記押圧部材は、前記画像読み取り用部材から取り外し可能に設けられていることを特徴とする請求項１記載の画像読み取り装置である。
請求項３に記載の発明は、前記対向部材のうち前記突出部と対峙する箇所には、水平方向に対して傾斜した傾斜面であって前記搬送経路に平行な当該傾斜面が形成されており、前記凹部は、前記傾斜面に形成されていることを特徴とする請求項１又は２に記載の画像読み取り装置である。
請求項４に記載の発明は、前記画像読み取り用部材は、長尺状に形成され、前記突出部は、前記画像読み取り用部材の長手方向における一端および他端のそれぞれに設けられ、前記対向部材には、前記凹部として、前記画像読み取り用部材の前記一端に設けられた前記突出部が入り込む第１の凹部と、前記他端に設けられた前記突出部が入り込む第２の凹部とが少なくとも形成されていることを特徴とする請求項１乃至３の何れかに記載の画像読み取り装置である。
請求項５に記載の発明は、前記集光部材の焦点が前記搬送経路上に位置するように前記凹部の深さが設定されていることを特徴とする請求項１乃至４の何れかに記載の画像読み取り装置である。
【０００６】
請求項６に記載の発明は、原稿の搬送経路を挟んで相対する二つの領域のうちの一方の領域側に配置され、受光部と、原稿からの反射光を当該受光部に集光する集光部材と、を有し、当該搬送経路が設けられている側に突出するとともに当該搬送経路から外れた箇所へ突出する突出部を備え、原稿上の画像の読み取りに用いられる画像読み取り用部材と、前記二つの領域のうちの他方の領域側に配置され、前記搬送経路を搬送される前記原稿の案内を行うとともに、前記画像読み取り用部材に設けられた前記突出部の移動を規制する規制部を有した原稿案内部材と、を含む画像読み取り装置である。
【発明の効果】
【０００７】
請求項１の発明によれば、本構成を有していない場合に比較して、受光部および原稿からの反射光をこの受光部に集光する集光部材を有した画像読み取り用部材の振動や変位を抑制することができる。
請求項２の発明によれば、画像読み取り用部材を共用化し画像読み取り用部材を他の画像読み取り装置でも用いるに際し、画像読み取り用部材が装着できる画像読み取り装置の種類を増加させることが可能となる。
請求項３の発明によれば、傾斜面に対して突出部がそのまま接触する場合に比べ、画像読み取り用部材の変位を抑制することができる。
請求項４の発明によれば、画像読み取り用部材の長手方向における一方の端部にのみ突出部が形成されている場合に比べ、画像読み取り用部材の振動や変位をさらに抑制することができる。
請求項５の発明によれば、本構成を有していない場合に比較して、読み取られる画像の質を向上させることができる。
請求項６の発明によれば、本構成を有していない場合に比較して、受光部および原稿からの反射光をこの受光部に集光する集光部材を有した画像読み取り用部材の振動や変位を抑制することができる。
【図面の簡単な説明】
【０００８】
【図１】本実施の形態が適用される画像読み取り装置を示した図である。
【図２】画像読み取りユニットを説明するための図である。
【図３】画像読み取りユニットの斜視図である。
【図４】対向部材のうちの突起を支持する部位を拡大して示した図である。
【図５】画像読み取り装置の他の一形態を示した図である。
【図６】図５にて示した第２画像読み取り装置のうちの画像読み取りユニットが装着された箇所を拡大して示した図である。
【図７】図６にて示した対向部材のうちの突起を支持する部位を拡大して示した図である。
【発明を実施するための形態】
【０００９】
以下、図面を参照して、本発明を実施するための形態について詳細に説明する。 
図１は、本実施の形態が適用される画像読み取り装置１１０を示した図である。この画像読み取り装置１１０には、積載された原稿束から原稿を順次搬送する原稿送り装置１０、スキャンによって画像を読み込むスキャナ装置７０、読み込まれた画像信号を処理する処理装置２００に大別される。 
【００１０】
原稿送り装置１０は、複数枚の原稿からなる原稿束が積載される第１原稿積載部１１と、第１原稿積載部１１を上昇および下降させるリフタ１２とを備えている。また、リフタ１２により上昇された第１原稿積載部１１上の原稿を搬送する搬送ロール１３と、搬送ロール１３により搬送された原稿を更に下流側まで搬送するフィードロール１４と、搬送ロール１３により搬送された原稿を１枚ずつ捌くリタードロール１５とを備えている。また、原稿が搬送される原稿搬送経路３１には、一枚ずつに捌かれた原稿を下流側のロールまで搬送するテイクアウェイロール１６、原稿を更に下流側のロールまで搬送すると共にループ作成を行うプレレジロール１７が設けられている。
【００１１】
さらに原稿搬送経路３１には、一旦停止した後にタイミングを合わせて回転を再開し原稿読み取り部に対してレジストレーション調整を施しながら原稿を供給するレジロール１８が備えられている。また、原稿搬送経路３１には、読み込み中の原稿搬送をアシストするプラテンロール１９と、読み込まれた原稿を更に下流に搬送するアウトロール２０が設けられている。さらに、原稿搬送経路３１には、搬送される原稿のループ状態に応じて支点を中心として回転するバッフル４１が備えられている。また、プラテンロール１９とアウトロール２０との間には、原稿上の画像を読み取る画像読み取りユニット５０が設けられている。なお本実施形態の画像読み取り装置１１０では、原稿の搬送速度を向上させ高速に原稿の両面の画像を読み取るため、原稿の表面の読み取り位置（ＣＣＤイメージセンサ７８（後述）による読み取り位置）に接近させて、画像読み取りユニット５０を設けている。さらに本実施形態の画像読み取り装置１１０では、アウトロール２０の下流側に、読み込みが終了した原稿が積載される第２原稿積載部４０が設けられるとともに、この第２原稿積載部４０へ原稿を排出する排出ロール２１が設けられている。
【００１２】
ここで、搬送ロール１３は、待機時にはリフトアップされて退避位置に保持され、原稿搬送時にニップ位置(原稿搬送位置)へ降下して第１原稿積載部１１上の最上位の原稿を搬送する。またフィードロール１４は、搬送ロール１３により搬送が開始された原稿を更に下流側へと搬送する。またプレレジロール１７は、停止しているレジロール１８に原稿先端を突き当ててループを作成する。レジロール１８では、ループ作成時にレジロール１８に噛み込んだ原稿先端をニップ位置まで戻している。このループが形成されると、バッフル４１は支点を中心として開き、原稿のループを妨げることのないように機能する。また、テイクアウェイロール１６およびプレレジロール１７は、読み込み中におけるループを保持している。このループ形成によって、読み込みタイミングの調整が図られ、また、原稿のスキューが抑制される。
【００１３】
一方、スキャナ装置７０は、上述した原稿送り装置１０を装置フレーム７１によって支え、また、原稿送り装置１０によって搬送される原稿の画像読み取りを行っている。このスキャナ装置７０は、装置フレーム７１の上部に、画像を読み込むべき原稿が静止させた状態で載せられる第１プラテンガラス７２Ａ、原稿送り装置１０によって搬送中の原稿を読み取るための光の開口部を形成する第２プラテンガラス７２Ｂを有している。なお本実施形態では、画像読み取り装置１１０の奥側に設けられた支点を中心として原稿送り装置１０が回転できるようになっている。そして本実施形態では、原稿送り装置１０をこの支点を中心として上方に回転させることで原稿送り装置１０が上方に移動し、第１プラテンガラス７２Ａの上に原稿がセットできるようになっている。
【００１４】
またスキャナ装置７０は、第２プラテンガラス７２Ｂの下に静止し、および第１プラテンガラス７２Ａの全体に亘ってスキャンして画像を読み込むフルレートキャリッジ７３を備えている。またスキャナ装置７０は、フルレートキャリッジ７３から得られた光を像結合部へ提供するハーフレートキャリッジ７５を備えている。フルレートキャリッジ７３には、原稿に光を照射する照明ランプ７４、原稿から得られた反射光を受光する第１ミラー７６Ａが設けられている。またハーフレートキャリッジ７５には、第１ミラー７６Ａから得られた光を結像部へ提供する第２ミラー７６Ｂおよび第３ミラー７６Ｃが設けられている。またスキャナ装置７０は、第３ミラー７６Ｃから得られた光学像を光学的に縮小する結像用レンズ７７、結像用レンズ７７によって結像された光学像を光電変換するＣＣＤ(Charge Coupled Device)イメージセンサ７８を備えている。また、スキャナ装置７０には駆動基板７９が設けられ、ＣＣＤイメージセンサ７８によって得られたアナログ画像信号は駆動基板７９上でデジタル画像信号に変換される。そして、このデジタル画像信号は処理装置２００に送られる。
【００１５】
ここで、第１プラテンガラス７２Ａに載せられた原稿の画像を読み取る場合には、フルレートキャリッジ７３とハーフレートキャリッジ７５とが、２：１の割合でスキャン方向(矢印方向)に移動する。このとき、フルレートキャリッジ７３の照明ランプ７４の光が原稿の被読み取り面に照射されると共に、その原稿からの反射光が第１ミラー７６Ａ、第２ミラー７６Ｂ、および第３ミラー７６Ｃの順に反射されて結像用レンズ７７に導かれる。結像用レンズ７７に導かれた光は、ＣＣＤイメージセンサ７８の受光面に結像される。ＣＣＤイメージセンサ７８は１次元のセンサであり、１ライン分を同時に処理している。このライン方向(スキャンの主走査方向)の１ラインの読み取りが終了すると、主走査方向とは直交する方向(副走査方向)にフルレートキャリッジ７３は移動し、原稿の次のラインが読み取られる。これを原稿サイズ全体に亘って実行することで、１ページの原稿読み取りが完了する。
【００１６】
また、原稿送り装置１０によって搬送される原稿を読み取る場合には、原稿送り装置１０によって搬送される原稿が第２プラテンガラス７２Ｂの上を通過する。このとき、フルレートキャリッジ７３とハーフレートキャリッジ７５は、図１に示す実線の位置に停止した状態にある。そして、原稿送り装置１０のプラテンロール１９を経た原稿の１ライン目の反射光が、第１ミラー７６Ａ、第２ミラー７６Ｂ、および第３ミラー７６Ｃを経て結像用レンズ７７にて結像され、ＣＣＤイメージセンサ７８によって画像が読み込まれる。
【００１７】
そして、１次元のセンサであるＣＣＤイメージセンサ７８によって主走査方向の１ライン分が同時に処理された後、原稿送り装置１０によって搬送される原稿の次の主走査方向の１ラインが読み込まれる。その後、原稿の後端が、第２プラテンガラス７２Ｂの読み取り位置を通過することによって、副走査方向に亘って１ページの読み取りが完了する。なお本実施の形態では、ＣＣＤイメージセンサ７８により原稿の第一面の読み取りを行うときに、同時に画像読み取りユニット５０によって、原稿の第二面の読み取りを行うこととしている。このようにすることで、原稿を何度も搬送することなく一回の搬送で原稿の両面を読み取ることが可能となる。ここで、上記の「同時」とは、時間の完全一致を意味するものではなく、原稿の同一の搬送時に、という意味である。
【００１８】
図２は、画像読み取りユニット５０を説明するための図である。
画像読み取り用部材の一例としての画像読み取りユニット５０は、同図に示すように、プラテンロール１９とアウトロール２０との間に設けられる。また画像読み取りユニット５０は、長尺状に形成されるとともに、原稿の搬送方向と直交する方向（交差する方向）に沿って配置されている。付言すると、画像読み取り装置１１０のフロント側からリア側にかけて設けられている。ここで、原稿の第一面は、第２プラテンガラス７２Ｂに押し当てられ、上記の通り、この第一面の画像はＣＣＤイメージセンサ７８により読み取られる。また、原稿の第二面の画像は、画像読み取りユニット５０により読み取られる。
【００１９】
画像読み取りユニット５０は、原稿の搬送経路側に開口が形成されたハウジング５０ａ、ハウジング５０ａの上記開口に装着されるガラス５１、ハウジング５０ａに収容されガラス５１を介して原稿の第二面に光を照射するＬＥＤ(Light Emitting Diode)５２を備えている。また画像読み取りユニット５０には、原稿からの反射光を集光するセルフォックレンズ（登録商標）５３（集光部材の一例）が設けられている。さらにセルフォックレンズ５３により集光された光を受光しさらに光電変換するラインセンサ５４が設けられている。ここでラインセンサ５４により得られたアナログ画像信号はデジタル画像信号に変換されて、処理装置２００（図１参照）に送られる。
【００２０】
受光部の一例としてのラインセンサ５４としては、ＣＣＤやＣＭＯＳセンサ、密着型センサ等を用いることができ、実寸幅(例えばＡ４長手幅２９７ｍｍ)の画像を読み取ることが可能である。画像読み取りユニット５０では、縮小光学系を用いずに、セルフォックレンズ５３とラインセンサ５４を用いて画像の取り込みを行うことから、構造の簡素化が図られている。また、筐体の小型化、消費電力の低減が図られている。尚、カラー画像を読み込む場合には、ＬＥＤ５２にＲ(赤)Ｇ(緑)Ｂ(青)の３色のＬＥＤ光源を組み合わせるか、あるいは白色のＬＥＤ光源を用い、ラインセンサ５４としてＲＧＢ３色用の３列一組のセンサを用いれば良い。
【００２１】
また画像読み取りユニット５０には、原稿をスキャナ装置７０側（対向部材６０側）に押圧する押圧ユニット５５（押圧部材の一例）が取り付けられている。ここで押圧ユニット５５は、画像読み取りユニット５０のハウジング５０ａに取り付けられた基部５０ｂを有している。なおこの基部５０ｂは、ハウジング５０ａに形成された複数の側面のうち原稿の搬送方向上流側に位置する側面に取り付けられている。また基部５０ｂに取り付けられ原稿の搬送方向下流側に向かって延びるガイド部材５５２が設けられている。なお本実施形態の押圧ユニット５５は、画像読み取りユニット５０のハウジング５０ａから取り外せるようになっている。
【００２２】
一方で、スキャナ装置７０（図１参照）には、原稿の搬送経路を挟み画像読み取りユニット５０の対向位置に配置された対向部材６０が設けられている。付言すると、本実施形態では、原稿の搬送経路を挟んで相対する二つの領域のうちの一方の領域側に画像読み取りユニット５０が配置され、他方の領域側に対向部材６０が設けられている。さらに説明すると、画像読み取りユニット５０は原稿送り装置１０側に設けられているが、対向部材６０はスキャナ装置７０側に設けられている。また本実施形態では、対向部材６０の下流側にガイド６１が設けられている。さらに、ガイド６１と対向部材６０との間には開口部６３が形成されている。さらに、ガイド６１の下部であって開口部６３に連続する箇所には、原稿から生じたごみや汚れを溜めるごみ溜め部６２が設けられている。 
【００２３】
ここでガイド部材５５２は、基部５０ｂに設けられた回転軸５５１に対して一端が巻き回されることにより揺動可能に支持されると共に他端である自由端が対向部材６０に向かって延びる板状の部材である。また本実施形態における画像読み取りユニット５０には、ねじりバネ５５３が設けられている。このねじりバネ５５３は、回転軸５５１に対して巻き回され一方のアームの端部が基部５０ｂに形成された穿孔５０ｃに挿入され、もう一方のアームの端部がガイド部材５５２を対向部材６０方向に向けて付勢している。ここで基部５０ｂは、画像読み取り装置１１０の奥行き方向に沿って配置された画像読み取りユニット５０の両端部の二箇所に設けられている。また回転軸５５１およびねじりバネ５５３もこれに対応して二箇所に設けられている。
【００２４】
一方、ガイド部材５５２は、画像読み取り装置１１０の奥行き方向における前面側から背面側にかけて設けられている。また本実施の形態において、ガイド部材５５２は、例えばＳＵＳ等の金属製の板金（金属板）で構成される。また、ガイド部材５５２の自由端側つまり原稿と接触する部位には、ヘミング曲げされた折り部５５２ａが設けられている。そして本実施形態では、この折り部５５２ａを設けることにより、ガイド部材５５２の角部と原稿との接触を防止するようにしている。また本実施形態では、ガイド部材５５２を金属製の板金で構成すると共にねじりバネ５５３によって撓み自在とすることで、搬送されてくる原稿の厚み分を吸収するようにしている。また、折り曲げぐせのついた原稿であっても安定して搬送されるようにしている。
【００２５】
ここで、原稿案内部材の一例としての対向部材６０には、原稿の搬送方向上流側に設けられ搬送される原稿を案内する原稿搬送面６０ａ、原稿搬送面６０ａよりも原稿の搬送方向下流側に設けられるとともに原稿搬送面６０ａよりも一段下げて形成された段差面６０ｂが設けられている。ここで、段差面６０ｂは、セルフォックレンズ５３による光のフォーカスポイントの延長線と対向するように形成されている。また段差面６０ｂ上には、二軸延伸ポリエステルフィルムからなる白基準テープ６４が貼り付けられている。本実施の形態では、白基準テープ６４の上面が原稿の搬送経路に露出した状態で配置されるとともに、白基準テープ６４の上面は、原稿搬送面６０ａの上面よりもわずかに奥側（搬送経路から離れる側）に位置している。
【００２６】
また、対向部材６０の搬送経路側（上部）であって原稿の搬送方向に直交する方向の両端部には、原稿搬送方向に向かって延びるリブ６５が形成されている。このリブ６５は、対向部材６０と共に樹脂により一体的に形成されている。そして本実施形態では、このリブ６５に対してねじりバネ５５３により付勢されたガイド部材５５２が押し付けられることにより、ガイド部材５５２と対向部材６０の原稿搬送面６０ａとの間に、リブ６５の高さに応じた隙間が形成される。また本実施形態では、対向部材６０の下側であって第１プラテンガラス７２Ａの上部側には、この第１プラテンガラス７２Ａに密着するように取り付けられた白基準板６６が設けられている。
【００２７】
ここで、上記では説明を省略したが、画像読み取りユニット５０は、光学結像レンズにセルフォックレンズ５３を採用していることから、焦点(被写界)震度が±０.３ｍｍ程度と浅く、スキャナ装置７０を用いた場合に比べて約１/１３以下の深度となっている。このため、画像読み取りユニット５０による読み取りに際しては、原稿の読み取り位置を狭い範囲内に収めることが要求される。そこで本実施の形態では、押圧ユニット５５を設け、原稿をこの押圧ユニット５５によって対向部材６０に押し当てて搬送し、プラテンロール１９とアウトロール２０との間にある原稿の姿勢を安定させている。
【００２８】
図３は、画像読み取りユニット５０の斜視図である。なお本図では、上下を逆転させた状態の画像読み取りユニット５０を表示している。また本図では、画像読み取りユニット５０のうち画像読み取り装置１１０のリア側（図１における紙面奥側）に設置される部位を表示している。
【００２９】
同図に示すように、画像読み取りユニット５０の長手方向における一端部には、原稿の搬送経路側に突出し画像読み取りユニット５０の位置決めに用いられる２つの突起５６（突出部の一例）が設けられている。ここで突起５６の長さＬ１（ハウジング５０ａの端面からの出寸法）は、４．１ｍｍとなっている。なお図示を省略するが、画像読み取りユニット５０の長手方向における他端部にも突起５６が１つ設けられている。ここで本実施形態では、この３つの突起５６が対向部材６０に押し当てられることで、対向部材６０に対する画像読み取りユニット５０の位置決めが行われる。これにより、搬送される原稿と画像読み取りユニット５０との距離に変動が生じることが抑制される。
【００３０】
また本実施形態では、画像読み取りユニット５０のハウジング５０ａの側面５０ｅ（画像読み取りユニット５０の両端に位置する側面５０ｅ）から突出する突出片５７が設けられている。この突出片５７は、ハウジング５０ａの側面５０ｅから離れた箇所に縁部５７ａを有するとともに、この縁部５７ａから上記側面５０ｅに向かうように形成されたＵ字状の溝５７ｂを有している。ここで画像読み取りユニット５０の原稿送り装置１０（図１参照）への取り付けは、原稿送り装置１０のうちのスキャナ装置７０と対峙する面側から画像読み取りユニット５０を入れることで行われる。即ち、原稿送り装置１０に対して、図１の矢印１Ａ方向から画像読み取りユニット５０を入れることで行われる。
【００３１】
そして本実施形態では、この取り付け操作が行われる際に、原稿送り装置１０側に形成された位置決め用の突起（不図示）が溝５７ｂ内に進入するようになっている。そして本実施形態では、溝５７ｂへのこの突起の進入によって、画像読み取りユニット５０の位置決めが行われるようになっている。付言すると、原稿の搬送方向における位置決めが行われるようになっている。なお、突出片５７に対して長穴や丸穴などを形成し、この長穴や丸穴に上記位置決め用の突起を挿入することでも、画像読み取りユニット５０の位置決めを行うことができるが、この場合、後述する第２画像読み取り装置に対しての画像読み取りユニット５０の取り付けが困難となる。付言すると、画像読み取りユニット５０の共用化が困難となる（詳細は後述）。このため本実施形態では、突出片５７に対し、長穴や丸穴ではなく縁部５７ａ側が開放された溝５７ｂを形成するようにしている。
【００３２】
図４は、対向部材６０のうちの突起５６を支持する部位を拡大して示した図である。
上記では説明を省略したが、画像読み取り装置１１０のリア側且つ対向部材６０に形成された段差面６０ｂ（図２も参照）には、画像読み取りユニット５０に形成された上記突起５６が入り込む凹部６８（第１の凹部の一例）が形成されている。そして本実施形態では、この凹部６８に対し突起５６が入り込むことで、画像読み取りユニット５０の更なる位置決めが行われている。ここで対向部材６０のうち凹部６８が形成された箇所は、突出部として機能する突起５６の移動を規制する規制部として捉えることができる。なお図示は省略するが、本実施形態では、画像読み取り装置１１０のフロント側（手前側）にも、画像読み取りユニット５０の他端部側に形成された突起５６（不図示）が入り込む凹部（第２の凹部の一例）が形成されている。
【００３３】
上記のとおり、本実施形態では、画像読み取り装置１１０側に形成された位置決め用の突起（不図示）を溝５７ｂ（図３参照）内に進入させることで画像読み取りユニット５０の位置決めを行っている。そして本実施形態では、この位置決めに加え、凹部６８および突起５６を用いて更に位置決めを行っている。ここでこのように、凹部６８および突起５６によってさらに位置決めを行うことで、画像読み取りユニット５０の振動や変位をより効果的に抑制可能となる。また本実施形態では、図２に示すように、段差面６０ｂに傾斜が付与されている。このため、凹部６８に対して突起５６を入り込ませて位置決めを行うことで、画像読み取りユニット５０の変位がさらに生じにくくなる。
【００３４】
ここで本実施形態では、図４に示すように、段差面６０ｂから０．１５ｍｍ離れた箇所を、原稿が通過するようになっている。付言すると、段差面６０ｂは、原稿を案内する原稿搬送面６０ａ（図２参照）よりも下方に位置しており、原稿は、段差面６０ｂの上方を通過するようになっている。また本実施形態では、セルフォックレンズ５３による光のフォーカスポイント（焦点位置）と、画像読み取りユニット５０の下面との距離が３．６ｍｍとなっている。一方で、突起５６の長さＬ１は、上記のとおり４．１ｍｍとなっている。このため本実施形態では、凹部６８の深さＤ１を０．３５ｍｍとして、原稿の搬送経路の位置と上記フォーカスポイントの位置とを一致させている。
【００３５】
図５は、画像読み取り装置の他の一形態を示した図である。なお上記と同様の機能については、同様の符号を用いここではその説明を省略する。また以下の説明では、図１に示した画像読み取り装置１１０を第１画像読み取り装置１１０と称し、図５に示す画像読み取り装置１１０を第２画像読み取り装置１１０と称する。
【００３６】
図１で示した第１画像読み取り装置１１０では、プラテンロール１９とアウトロール２０との間に画像読み取りユニット５０が設けられている場合を説明した。ところで、画像読み取りユニット５０は、プラテンロール１９とアウトロール２０との間に限られず、図５に示すように、アウトロール２０と排出ロール２１との間に設けることができる。また本実施形態では、画像読み取りユニット５０の共用ができるようになっており、図１〜図３にて示した画像読み取りユニット５０と同じ画像読み取りユニット５０が、図５にて示す第２画像読み取り装置１１０に装着されている。さらに、この第２画像読み取り装置１１０では、中速度で原稿を搬送している。またこの第２画像読み取り装置１１０では、原稿の表面の画像読み取り位置（ＣＣＤイメージセンサ７８による画像の読み取り位置）から離れた箇所に画像読み取りユニット５０を設置している。
【００３７】
図６は、図５にて示した第２画像読み取り装置１１０のうちの画像読み取りユニット５０が装着された箇所を拡大して示した図である
ここで第２画像読み取り装置１１０では、上記と同様に、原稿の搬送経路を挟み画像読み取りユニット５０の対向位置に対向部材６０が設けられている。さらにこの対向部材６０には、上記と同様、搬送される原稿を案内する原稿搬送面６０ａが設けられている。また本実施形態では、原稿搬送面６０ａのうちの画像読み取りユニット５０と対峙する部位に載せられ且つ板状に形成され、搬送される原稿を案内する第１案内部材８１が設けられている。
【００３８】
さらに、第１案内部材８１および原稿搬送面６０ａに対向するように設けられ、搬送される原稿の案内を行う第２案内部材８２が設けられている。ここで原稿は、図６の破線に示すように、第２案内部材８２と原稿搬送面６０ａとの間、第２案内部材８２と第１案内部材８１との間を通過していく。ここで本実施形態では、第２案内部材８２によって原稿が対向部材６０側に押し付けられるようになっている。このため図６に示す画像読み取りユニット５０では、押圧ユニット５５（図２参照）を取り外している。
【００３９】
なお第２画像読み取り装置１１０では、図６に示すように、原稿の搬送方向において、排出ロール２１の上流側に、搬送されてくる原稿を原稿搬送面６０ａが設けられている側に案内する第３案内部材８３が設けられている。また上記では図示を省略したが、画像読み取りユニット５０のハウジング５０ａの側面５０ｆ（原稿の搬送方向の下流側に位置する側面５０ｆ）にも、搬送されてくる原稿を案内する案内部８４が設けられている。
【００４０】
ここで、第２画像読み取り装置１１０への画像読み取りユニット５０の取り付け方法を説明する。図５に示す第２画像読み取り装置１１０では、第２画像読み取り装置１１０のフロント側（図５の紙面の手前側）から原稿送り装置１０に対して画像読み取りユニット５０を挿入することで、第２画像読み取り装置１１０に対する画像読み取りユニット５０の取り付けが行われる。そして本実施形態では、この挿入が行われる際に、第２画像読み取り装置１１０側に形成された位置決め用の突起（不図示）が溝５７ｂ（図３参照）内に進入するようになっている。そして本実施形態では、溝５７ｂへのこの突起の進入によって、画像読み取りユニット５０の位置決めが行われるようになっている。付言すると、原稿の搬送方向における位置決めが行われるようになっている。
【００４１】
ここで上記にて説明したが、第１画像読み取り装置１１０では、原稿送り装置１０のうちのスキャナ装置７０と対峙する面側から画像読み取りユニット５０を入れるため（図１の矢印１Ａ参照）、突出片５７に対して長穴や丸穴などを形成しても、画像読み取りユニット５０の取り付け（位置決め）を行うことができる。ところで、第２画像読み取り装置１１０では、画像読み取りユニット５０の装着を上記のように挿入して行うことから、突出片５７に対し長穴や丸穴などが形成されていると、この長穴や丸穴の内部に、上記位置決め用の突起を配置することが困難となる。このため上記にて説明したように、突出片５７には、長穴や丸穴ではなく縁部５７ａ（図３参照）側が開放された溝５７ｂを形成するようにしている。そしてこの場合、同じ型の画像読み取りユニット５０が、第１画像読み取り装置１１０および第２画像読み取り装置１１０の両者に装着できるようになり、画像読み取りユニット５０の共用化が実現されるようになる。
【００４２】
図７は、図６にて示した対向部材６０のうちの突起５６を支持する部位を拡大して示した図である。
第２画像読み取り装置１１０では、原稿搬送面６０ａに突起５６が接触しこの原稿搬送面６０ａにより突起５６が支持される。また第２画像読み取り装置１１０では、第１案内部材８１（図６参照）が原稿搬送面６０ａ上に設けられているために、原稿搬送面６０ａから離れた箇所を原稿が通過するようになる。より具体的には、原稿搬送面６０ａから０．５ｍｍ離れた箇所を原稿が通過する。また、セルフォックレンズ５３による光のフォーカスポイントと、画像読み取りユニット５０の下面との距離は、上記にて説明したように、３．６ｍｍとなっている。また突起５６の長さＬ１は、上記のとおり４．１ｍｍとなっている。このため本実施形態では、上記のような凹部６８（図４参照）を形成せずとも、原稿の搬送経路の位置と上記フォーカスポイントの位置とが一致するようになっている。
【００４３】
ここで、上記第１画像読み取り装置１１０と第２画像読み取り装置１１０では、突起５６が接触する接触面から原稿の搬送経路までの距離が異なっている。付言すると、上記第１画像読み取り装置１１０と第２画像読み取り装置１１０では、原稿が通過していく箇所が異なっている。このため、画像読み取りユニット５０を単に設置しただけでは、第１画像読み取り装置１１０および第２画像読み取り装置１１０のいずれか一方または両方にて、セルフォックレンズ５３による光のフォーカスポイントと原稿の搬送経路とにずれが生じてしまう。そしてこの場合、画像読み取りユニット５０の共用化が困難となる。
【００４４】
このため本実施形態では、図４にて示したように、第１画像読み取り装置１１０の対向部材６０に凹部６８を形成し、この凹部６８内に突起５６をもぐり込ませている。これにより、セルフォックレンズ５３による光のフォーカスポイントと原稿の搬送経路とにずれが生じることが抑制される。そしてこの場合、共通の画像読み取りユニット５０を第１画像読み取り装置１１０および第２画像読み取り装置１１０の両者に用いることができるようになる。即ち、画像読み取りユニット５０の共用化ができるようになる。
【符号の説明】
【００４５】
５０…画像読み取りユニット、５３…セルフォックレンズ、５４…ラインセンサ、５５…押圧ユニット、５６…突起、６０…対向部材、６８…凹部、１１０…画像読み取り装置
【図１】
0005703695.tif 000002
【図２】
0005703695.tif 000003
【図３】
0005703695.tif 000004
【図４】
0005703695.tif 000005
【図５】
0005703695.tif 000006
【図６】
0005703695.tif 000007
【図７】
0005703695.tif 000008